(57)【特許請求の範囲】
【請求項１】
上下に延びる柱材と、該柱材に支持されて浴室壁面を構成する壁パネルと、を備えた浴室ユニットに機能部品を取り付けるための機能部品の取付構造であって、
前記浴室壁面の一部に形成された壁開口部と、
前記柱材に固定されて前記機能部品を支持する支持部材と、を備え、
前記壁開口部の内周辺のうち少なくとも一辺を構成する前記壁パネルの端縁は、該端縁に対向する前記機能部品の外周辺又は該機能部品を収容する筐体の外周辺に対して、前記壁パネルの面内方向外方に離隔して設けられ、この離隔部分に前記支持部材と前記機能部品又は前記筐体との固定部が設けられ、
前記固定部は、前記機能部品又は前記筐体の前記浴室側の最前部より前記壁パネルの見込方向の後方に位置し、
前記支持部材には、前記離隔部分にて、上下に延びる第１延出片が形成され、該第１延出片に前記固定部が設けられ、
前記支持部材と前記機能部品又は前記筐体とが固定された状態で、前記第１延出片は、前記機能部品の外周辺又は前記筐体の外周辺から離間していることを特徴とする機能部品の取付構造。
【請求項２】
前記機能部品又は前記筐体には、前記離隔部分にて、前記壁パネルの面内方向外方に延びる第２延出片が形成され、該第２延出片に前記固定部が設けられていることを特徴とする請求項１に記載の機能部品の取付構造。
【請求項３】
前記第１延出片及び前記第２延出片は、前記壁パネルの見込方向の浴室表面側に設けられていることを特徴とする請求項２に記載の機能部品の取付構造。
【請求項４】
前記離隔部分は、前記機能部品又は前記筐体の四周を囲んで連続して設けられていることを特徴とする請求項１〜３のいずれか一項に記載の機能部品の取付構造。
【請求項５】
請求項１〜４のいずれか一項に記載の機能部品の取付構造によって前記機能部品が前記浴室ユニットに取り付けられたことを特徴とする浴室。
【発明の詳細な説明】
【技術分野】
【０００１】
本発明は、浴室ユニットに機能部品を取り付けるための機能部品の取付構造、及び、この取付構造によって機能部品が浴室ユニット取り付けられた浴室に関する。
【背景技術】
【０００２】
従来、浴室の壁にテレビ受像機等の機能部品を取り付けるための構造が提案されている（例えば、特許文献１、２参照）。特許文献１に記載された浴室用テレビケースの構造は、浴室の壁パネルに埋め込まれるケースと、このケースの浴室内側を覆うハーフミラーと、を備え、ケースには、薄型テレビを収納する収納凹部と、壁パネルの浴室内面に当接するフランジ片と、が形成されている。このケースは、浴室内側から壁パネルの開口部に挿入され、フランジ片が壁パネルの開口部端縁に係止されることで、壁パネルに支持されるようになっている。
【０００３】
また、特許文献２に記載された浴室におけるテレビ等の設置構造は、テレビを収納する収納箱体と、この収納箱体の浴室側を覆う透明扉体と、収納箱体を浴室の壁に固定する固定金具と、を備えて構成されている。この収納箱体の浴室側には、壁の浴室内面に沿って延びる鍔部が形成されており、この鍔部と浴室外面からの固定金具とで壁を挟み込むとともに、固定金具をビス止めすることで収納箱体が壁に固定されるようになっている。
【先行技術文献】
【特許文献】
【０００４】
【特許文献１】特開２００１−３２７４２８号公報
【特許文献２】特開２００１−２５２２１２号公報
【発明の概要】
【発明が解決しようとする課題】
【０００５】
しかしながら、特許文献１、２に記載されたような従来の取付構造は、浴室の壁（又は壁パネル）に対してケース等を直接固定するものであり、ケースや収容物を含めた重量物を支持するためには、壁に相応の強度が求められることとなる。また、ユニットバス等の浴室ユニットの壁は、樹脂製パネルや、鋼板パネル、タイルパネル等の壁パネルを用いて構成されるのが一般的であり、このような壁パネルは、その裏面側の柱材（ポスト）に対して浴室側から係止固定されるようになっている。このため、通常の浴室ユニットでは、その外側において壁パネルや柱材と建物躯体とのクリアランスが最小となるように設計されている。このような浴室ユニットにおいて、壁パネルにケース等を直接固定しようとすると、その固定部周辺のスペースが確保できず、固定作業が煩雑になるとともに、ケース等に収容する機器が発する熱を逃がすことが困難になるという不都合も生じる。
【０００６】
本発明の目的は、機能部品の固定作業の作業性の向上を図ることができるとともに機能部品からの放熱性能を高めることができる機能部品の取付構造、及び、浴室を提供することにある。
【課題を解決するための手段】
【０００７】
本発明の機能部品の取付構造は、上下に延びる柱材と、該柱材に支持されて浴室壁面を構成する壁パネルと、を備えた浴室ユニットに機能部品を取り付けるための機能部品の取付構造であって、前記浴室壁面の一部に形成された壁開口部と、前記柱材に固定されて前記機能部品を支持する支持部材と、を備え、前記壁開口部の内周辺のうち少なくとも一辺を構成する前記壁パネルの端縁は、該端縁に対向する前記機能部品の外周辺又は該機能部品を収容する筐体の外周辺に対して、前記壁パネルの面内方向外方に離隔して設けられ、この離隔部分に前記支持部材と前記機能部品又は前記筐体との固定部が設けられ、前記固定部は、前記機能部品又は前記筐体の前記浴室側の最前部より前記壁パネルの見込方向の後方に位置し、前記支持部材には、前記離隔部分にて、上下に延びる第１延出片が形成され、該第１延出片に前記固定部が設けられ、前記支持部材と前記機能部品又は前記筐体とが固定された状態で、前記第１延出片は、前記機能部品の外周辺又は前記筐体の外周辺から離間していることを特徴とする。
【０００８】
以上のような本発明によれば、柱材に固定される支持部材によって機能部品を支持することで、壁パネルに機能部品の重量が作用しないようにできるので、壁パネルを厚くしたり、その裏面に補強を設けたりする必要がなく、通常の浴室ユニットに対して機能部品を取り付けることができる。また、壁パネルの端縁が機能部品又は筐体の外周辺と面内方向に離隔して設けられ、この離隔部分（隙間）に支持部材と機能部品又は筐体との固定部が設けられているので、この固定部周辺のスペースを確保して固定作業の作業性の向上を図ることができる。さらに、壁パネルの端縁と機能部品の外周辺との間に隙間が形成されているので、この隙間を放熱空間として利用することができ、この放熱空間に機能部品からの熱を逃がすことで機能部品の発熱を抑制することができる。
【０００９】
この際、本発明の機能部品の取付構造では、前記機能部品又は前記筐体には、前記離隔部分にて、前記壁パネルの面内方向外方に延びる第２延出片が形成され、該第２延出片に前記固定部が設けられていることが好ましい。
【００１０】
この構成によれば、機能部品又は筐体には、離隔部分にて、壁パネルの面内方向外方に延びる第２延出片が形成され、該第２延出片に前記固定部が設けられているので、この固定部の固定作業を一層容易に実施することができる。ここで、支持部材及び機能部品又は筐体のいずれにも延出片が形成されない場合には、これらの間を連結するような固定部材を用いて支持部材と機能部品又は筐体とを固定することも可能であるが、この場合には、別体の固定部材を準備する必要があるため部品点数が増加してしまうとともに、機能部品又は筐体と固定部材の両方を支持しながら固定作業を実施する必要があり、延出片と比較して作業性が低下してしまうことになる。
【００１１】
さらに、本発明の機能部品の取付構造では、 前記第１延出片及び前記第２延出片は、前記壁パネルの見込方向の浴室表面側に設けられていることが好ましい。
【００１２】
この構成によれば、壁パネルの見込方向の浴室表面側に第１延出片及び第２延出片が設けられているので、浴室内から支持部材と機能部品又は筐体との固定作業を実施する場合に、手前側に固定部が位置することとなり、より一層、作業性の向上を図ることができる。さらに、延出片よりも裏面側における建物躯体との距離を拡大することができ、この空間を放熱空間とすることで放熱性能を高めることができる。
【００１３】
また、本発明の機能部品の取付構造では、前記離隔部分は、前記機能部品又は前記筐体の四周を囲んで連続して設けられていることが好ましい。
【００１４】
この構成によれば、機能部品又は筐体の四周を囲んで離隔部分（隙間）が連続して設けられていることで、この隙間を放熱空間として利用する場合に、放熱空間内部の空気を循環させることができ、放熱性能をより一層向上させることができる。
【００１５】
また、本発明の浴室は、前記いずれかの機能部品の取付構造によって前記機能部品が前記浴室ユニットに取り付けられたことを特徴とする。
【００１６】
このような本発明の浴室によれば、前述のように、通常の浴室ユニットに対して機能部品を取り付けることができるとともに、壁パネルの端縁と機能部品又は筐体の外周辺との離隔部分に設けた固定部の固定作業の作業性の向上を図ることができ、さらに、離隔部分を放熱空間として利用することで機能部品の発熱を抑制することができる。
【発明の効果】
【００１７】
以上のような本発明の機能部品の取付構造、及び、浴室によれば、壁パネルに対する大幅な改造が不要なので、通常の浴室ユニットに対して機能部品を取り付けることができる。また、壁パネルの端縁と機能部品又は筐体の外周辺との離隔部分に設けた固定部周辺にスペースが確保できるので、支持部材と機能部品又は筐体との固定作業の作業性の向上を図ることができるとともに、離隔部分を放熱空間として利用し、この放熱空間に機能部品からの熱を逃がすことで機能部品の発熱を抑制することができる。
【図面の簡単な説明】
【００１８】
【図１】本発明の実施形態に係る浴室の一部を示す斜視図である。
【図２】前記浴室の一部を分解して示す分解斜視図である。
【図３】前記浴室に設けられる機能部品の取付構造を示す分解斜視図である。
【図４】前記機能部品の取付構造を示す縦断面図である。
【図５】前記機能部品の取付構造を示す横断面図である。
【図６】前記機能部品の取付構造を分解して示す縦断面図である。
【図７】前記機能部品の取付構造を分解して示す横断面図である。
【図８】前記機能部品の取付構造を分解して示す横断面図である。
【図９】前記機能部品を収容する筐体構造を分解して示す縦断面図である。
【図１０】（Ａ）前記機能部品の取付構造の変形例を示す縦断面図であり、（Ｂ）は、前記機能部品の取付構造の他の変形例を示す縦断面図であり、（Ｃ）は、前記機能部品の取付構造のさらに他の変形例を示す縦断面図である。
【発明を実施するための形態】
【００１９】
以下、本発明の実施形態を図面に基づいて説明する。本実施形態の浴室ユニット（浴室）１は、図１、２に示すように、床躯体上に束等を介して支持された浴槽２及び洗い場床（防水パン）３と、浴槽２の端縁及び洗い場床３の端縁から立ち上がって設けられた立上部４と、立上部４から立設された複数の柱材としてのポスト５と、隣り合うポスト５間に亘って支持されて浴室内壁面を構成する複数の壁パネル６と、複数のポスト５の頂部を連結して設けられたつなぎ梁７と、つなぎ梁７に支持される図示しない天井パネルと、図示しない浴室出入口や窓等と、を備えて構成されている。また、洗い場の壁面には、鏡８が取り付けられ、その他に、図示しないカウンターや棚、照明器具、水栓金具、カラン、シャワー等が設けられる。
【００２０】
なお、以下では、壁パネル６の面直交方向を見込方向と記し、この見込方向と直交する面内方向を見付方向と記す場合があり、特に、ポスト５や、後述する横材１２，１３、縦材１４，１５等の長尺部材においては、その材軸方向（長手方向）及び見込方向に直交する方向を見付方向として記すことがある。
【００２１】
ポスト５は、溶融亜鉛めっき鋼板などから曲げ加工及び切断加工によって製作され、断面コ字形や断面Ｃ字形に形成されている。このポスト５は、その下端部が浴槽２や洗い場床３の立上部４にブラケット等で固定され、上端部がつなぎ梁７によって隣り合うポスト５の上端部と連結されている。ポスト５は、浴室ユニット１の角部に設けられるコーナーポスト５Ａと、隣り合う壁パネル６が平面的に連続した位置に設けられる平ポスト５Ｂと、を有して構成されている。
【００２２】
壁パネル６は、例えば、鋼板パネルで構成されている。鋼板パネルは、浴室内部側に適宜な化粧面を有する鋼板６Ａ（図５参照）と、この鋼板６Ａの裏面に貼付される石膏ボードや発泡ウレタン等の断熱材６Ｂと、を有し、取付部位に応じた適宜な幅寸法及び高さ寸法に形成されている。鋼板パネルの鋼板６Ａには、その左右両側の端縁から見込方向裏面側に突出する突出片６Ｃと、この突出片６Ｃの先端から見付方向内側かつ浴室内部側に折り返された被係止部６Ｄとが形成されている。この鋼板パネルは、被係止部６Ｄがポスト５の係止片５Ｃに係止されることで、左右のポスト５間に亘って取り付けられている。
【００２３】
複数の壁パネル６のうち、浴槽２の一方側の短辺２Ａに対応する位置の壁パネル６は、上側の上壁パネル６１と下側の下壁パネル６２とに分割され、これらの間に壁開口部６３が形成されている。即ち、壁開口部６３は、壁パネル６１，６２が設けられていない浴室壁面の一部に形成されている。この壁開口部６３は、矩形状の内周辺を有し、４つの内周辺のうち、上辺は上壁パネル６１の下端縁６４によって構成され、下辺は下壁パネル６２の上端縁６５によって構成され、左右の縦辺は浴槽２の短辺２Ａ両端部から立設された左右一対のポスト５（コーナーポスト５Ａ及び平ポスト５Ｂ）によって構成されている。
【００２４】
以上の浴室ユニット１には、図３にも示すように、機能部品としての映像表示部Ｔを浴室壁に取り付けるための機能部品の取付構造１０が設けられている。この取付構造１０は、前記壁開口部６３と、壁開口部６３の左右のポスト５Ａ，５Ｂに固定されて映像表示部Ｔを支持する支持部材としての支持フレーム１１と、支持フレーム１１よりも浴室内側に設けられる化粧フレーム２０と、映像表示部Ｔを収容して支持フレーム１１に固定される筐体３０と、を備えて構成されている。映像表示部Ｔは、映像表示を行う電子機器であり、液晶表示部、有機ＥＬ表示部、ＬＥＤ表示部等の映像表示部を持つ機器であり、テレビ機器として、図示しない電源装置やテレビアンテナ、チューナー、録画装置、スピーカー等に有線あるいは無線によって接続されてもよい。
【００２５】
支持フレーム１１は、壁開口部６３の上辺である上壁パネル６１の下端縁６４に沿った上側の横材１２と、壁開口部６３の下辺である下壁パネル６２の上端縁６５に沿った下側の横材１３と、壁開口部６３の左右の縦辺である左右一対のポスト５Ａ，５Ｂにそれぞれ沿った一対の縦材１４，１５と、を四周枠組みして構成されている。これらの横材１２，１３及び縦材１４は、それぞれステンレス鋼板等の金属材料を曲げ加工して形成されており、支持フレーム１１の四隅において横材１２，１３及び縦材１４の端部同士が溶接によって接合されて矩形枠状に一体化されている。また、支持フレーム１１における縦材１４，１５の浴室側には、後述する金属プレート１６，１７が設けられ、縦材１５と平ポスト５Ｂとの間には、位置決め部材１８が設けられている。
【００２６】
化粧フレーム２０は、支持フレーム１１及び筐体３０の浴室側に設けられる矩形枠状の被覆部材であって、上下左右の四周に設けられるアルミ形材製の化粧材２１と、これらの化粧材２１を四隅で接続する図示しない接続部材と、を有して構成されている。なお、化粧材２１は、アルミ形材製に限らず、他の金属製でもよいし、樹脂製やガラス製などでもよく、その材質は特に限定されない。この化粧フレーム２０は、係止部材２２によって筐体３０の前面側に取り付けられるようになっている。
【００２７】
筐体３０は、全体箱状に形成されるとともに映像表示部Ｔの前面側に開口３０Ａを有した筐体本体３１と、この筐体本体３１の内部側から開口３０Ａを覆う透光性を有したカバー部材としての透明板３２と、を有して構成されている。筐体本体３１は、支持フレーム１１の内側に挿通可能で矩形状に連続する外周辺３３（上辺３３Ａ、下辺３３Ｂ、左側の縦辺３３Ｃ、及び右側の縦辺３３Ｄ）を有するとともに、この四方の外周辺３３には、それぞれ見付方向外方に延出する延出片３４が形成されている。これらの延出片３４は、ビス３５によって支持フレーム１１の横材１２，１３及び縦材１４，１５に固定され、これにより筐体３０が設置対象部としての壁開口部６３に固定されるようになっている。本実施形態では、筐体３０の延出片３４、支持フレーム１１の横材１２，１３及び縦材１４，１５と、これらを固定するビス３５と、を備えて「固定部」が構成される。
【００２８】
以下、図４〜８も参照して支持フレーム１１の詳細構造及び浴室ユニット１への取付構造を詳しく説明する。ここで、図６は、図４における筐体３０の下辺３３Ｂ近傍を拡大して示す分解断面図である。この下辺３３Ｂ近傍における取付構造と、筐体３０の上辺３３Ａ近傍における取付構造と、が上下対称であるため、上辺３３Ａ近傍における取付構造に係る符号を図６中の括弧内に示すこととする。また、図７は、図５における筐体３０の左側の縦辺３３Ｃ近傍を拡大して示す分解断面図であり、図８は、図５における筐体３０の右側の縦辺３３Ｄ近傍を拡大して示す分解断面図である。
【００２９】
支持フレーム１１の上側の横材１２は、図４、６にも示すように、見込方向（壁パネル６の面直交方向）に延びる見込み面部１２１と、この見込み面部１２１の浴室内部側端部から下方に折れ曲がって延びる第一延出面部（第１延出片）１２２と、見込み面部１２１の浴室外部側端部から上方に折れ曲がって延びる第二延出面部１２３と、を有して断面クランク状に形成されている。見込み面部１２１は、上壁パネル６１の下端縁６４から離隔して下端縁６４に対向するように設けられている。第一延出面部１２２は、上壁パネル６１の浴室内壁面と略平坦に設けられ、ビス孔１２４にビス３５が螺合されることで筐体３０の延出片３４が固定されるようになっている。第二延出面部１２３は、上壁パネル６１の裏面に沿って延び、上壁パネル６１を背面側から係止可能に設けられている。
【００３０】
下側の横材１３は、図４、６にも示すように、上側の横材１２と略同様に、見込方向に延びる見込み面部１３１と、この見込み面部１３１の浴室内部側端部から上方に折れ曲がって延びる第一延出面部（第１延出片）１３２と、見込み面部１３１の浴室外部側端部から下方に折れ曲がって延びる第二延出面部１３３と、を有して断面クランク状に形成されている。見込み面部１３１は、下壁パネル６２の上端縁６５から離隔して上端縁６５に対向するように設けられている。第一延出面部１３２は、下壁パネル６２の浴室内壁面と略平坦に設けられ、ビス孔１３４にビス３５が螺合されることで筐体３０の延出片３４が固定されるようになっている。第二延出面部１３３は、下壁パネル６２の裏面に沿って延び、下壁パネル６２を背面側から係止可能に設けられている。
【００３１】
ここで、ビス３５が螺合される支持フレーム１１の横材１２，１３の第一延出面部１２２，１３２と筐体３０の延出片３４は、壁パネル６の見込方向における浴室表面側に位置するように設けられている。換言すると、支持フレーム１１に、見込み面部１２１，１３１が設けられていることで、ビス３５が螺合される固定部が、見込み面部１２１，１３１の見込方向の寸法分だけ壁パネル６の浴室表面側に設けられていることになる。これにより、浴室内から支持フレーム１１と筐体３０との固定作業を実施する場合に、手前側に固定部が位置することとなり、作業性の向上を図ることができる。さらに、第一延出面部１２２，１３２及び延出片３４よりも裏面側における建物躯体との距離を拡大することができ、この空間を放熱空間とすることで放熱性能を高めることができる。
【００３２】
支持フレーム１１の左右一方（浴室内部側から見て左側）の縦材１４は、図５、７にも示すように、コーナーポスト５Ａに沿って見込方向に延びる見込み面部１４１と、この見込み面部１４１の浴室内部側端部から見付方向内方（壁開口部６３の内側）に折れ曲がって延びる延出面部１４２と、を有して断面Ｌ字状に形成されている。この縦材１４は、見込み面部１４１を貫通する固着具としてのビス１４３によってコーナーポスト５Ａに固定されている。延出面部１４２は、横材１２，１３の第一延出面部１２２，１３２と平坦に設けられ、ビス孔１４４にビス３５が螺合されることで筐体３０の延出片３４が固定されるようになっている。
【００３３】
支持フレーム１１の左右他方（浴室内部側から見て右側）の縦材１５は、図５、８にも示すように、平ポスト５Ｂに沿って見込方向に延びる見込み面部１５１と、この見込み面部１５１の浴室内部側端部から見付方向内方（壁開口部６３の内側）に折れ曲がって延びる延出面部１５２と、を有して断面Ｌ字状に形成されている。この縦材１５は、見込み面部１５１を貫通する固着具としてのビス１５３によって平ポスト５Ｂに固定されている。延出面部１５２は、横材１２，１３の第一延出面部１２２，１３２と平坦に設けられ、ビス孔１５４にビス３５が螺合されることで筐体３０の延出片３４が固定されるようになっている。
【００３４】
このような支持フレーム１１は、壁パネル６の見付方向内方に離隔して設けられた横材１２，１３の第１延出面部１２２，１３２と、縦材１４，１５の延出面部１４２，１５２と、を有し、これらの延出面部１２２，１３２、１４２，１５２が、ビス３５が螺合されることで、筐体３０の延出片３４に固定されるから、壁パネル６の端縁６４，６５は、該端縁６４，６５に対向する筐体３０の外周辺３３に対して、壁パネル６の面内方向外方に離隔して設けられる。こうして、筐体３０の外周辺３３に対して、壁パネル６の面内方向外方に離隔して設けられた離隔部分Ｓ（図４、図５参照）は、筐体３０の四周を囲んで連続して設けられている。
【００３５】
金属プレート１６は、支持フレーム１１の縦材１４に沿って長尺状に形成されるとともに、図５、７にも示すように、縦材１４の延出面部１４２に沿って見付方向に延びる第一面部１６１と、この第一面部１６１の見付方向外端部から見込方向の浴室外部側に延びる第二面部１６２と、この第二面部１６２の浴室外部側端部から外方に折れ曲がって延びる位置決め片１６３と、を有して断面クランク状に形成されている。第一面部１６１は、縦材１４の延出面部１４２と筐体３０の延出片３４との間に挟持され、第二面部１６２は、縦材１４の見込み面部１４１とコーナーポスト５Ａとの間に挟持されている。位置決め片１６３は、コーナーポスト５Ａの浴室外部側の側面に当接することで、金属プレート１６が見込方向に位置決めされる。このように金属プレート１６をコーナーポスト５Ａに対して位置決めした状態において、縦材１４及び金属プレート１６にビス１４３を貫通させ、このビス１４３をコーナーポスト５Ａに螺合させることで、支持フレーム１１がコーナーポスト５Ａに対して所定の見込位置に固定できるようになっている。
【００３６】
金属プレート１７は、支持フレーム１１の縦材１５に沿って長尺状に形成されるとともに、図５、８にも示すように、縦材１５の延出面部１５２に沿って見付方向に延びる第一面部１７１と、この第一面部１７１の見付方向外端部から見込方向の浴室外部側に延びる第二面部１７２と、この第二面部１７２の先端から見付方向内側かつ浴室内部側に折り返された被係止部１７３と、を有して形成されている。第一面部１７１は、縦材１５の延出面部１５２と筐体３０の延出片３４との間に挟持される。第二面部１７２及び被係止部１７３は、隣り合う壁パネル６の突出片６Ｃ及び被係止部６Ｄと同様の納まりによって平ポスト５Ｂの係止片５Ｃに係止される。これによって金属プレート１７及び壁パネル６の平ポスト５Ｂに対する係止が維持されるようになっている。
【００３７】
位置決め部材１８は、支持フレーム１１の縦材１５に沿った複数個所（本実施形態では３箇所）に設けられるピース部材であって、図５、８にも示すように、見込方向に延びる見込面部１８１と、この見込面部１８１の浴室外部側端部から見付方向外方に折れ曲がって延びる位置決め片１８２と、を有して断面Ｌ字状に形成されている。見込面部１８１は、縦材１５の見込み面部１５１と平ポスト５Ｂとの間に挟持されている。位置決め片１８２は、平ポスト５Ｂの浴室外部側の側面に当接することで、位置決め部材１８が見込方向に位置決めされる。このように位置決め部材１８を平ポスト５Ｂに対して位置決めした状態において、縦材１５及び位置決め部材１８にビス１５３を貫通させ、このビス１５３を平ポスト５Ｂに螺合させることで、支持フレーム１１が平ポスト５Ｂに対して所定の見込位置に固定できるようになっている。
【００３８】
以上のように、左側の縦材１４が金属プレート１６によってコーナーポスト５Ａに対して位置決めされるとともに、見込み面部１４１を貫通するビス１４３によってコーナーポスト５Ａに固定され、右側の縦材１５が位置決め部材１８によって平ポスト５Ｂに対して位置決めされるとともに、見込み面部１５１を貫通するビス１５３によって平ポスト５Ｂに固定されることで、支持フレーム１１は、左右のポスト５に亘って固定される。このように支持フレーム１１が左右のポスト５に亘って壁開口部６３に固定されることで、上壁パネル６１の下端縁６４に沿って上側の横材１２が支持され、下壁パネル６２の上端縁６５に沿って下側の横材１３が支持される。この際、横材１２の見込み面部１２１と上壁パネル６１の下端縁６４とは互いに離隔して設けられ、横材１３の見込み面部１３１と下壁パネル６２の上端縁６５とは互いに離隔して設けられることで、支持フレーム１１からの荷重が壁パネル６に伝達されないようになっている。
【００３９】
次に、図６〜８も参照して、化粧フレーム２０の詳細構造及び取付構造について説明する。化粧フレーム２０の四周に設けられる化粧材２１は、各々同一断面を有して形成され、浴室内部側の見えがかり面となる見付け面部２１１と、この見付け面部２１１の見付方向外端縁から見込方向に延びる見込み面部２１２と、見付け面部２１１の背面と見込み面部２１２の先端を連結する補強面部２１３と、見付け面部２１１の背面から見込方向に突出した被係止面部２１４と、を有して形成されている。また、見付け面部２１１の見付方向内端縁には、背面側に突出した第一突条２１５が設けられ、補強面部２１３の見込方向背面側には、第二突条２１６が設けられている。
【００４０】
係止部材２２は、金属製の板バネ材から曲げ加工により成形されるピース部材であって、筐体３０の上辺３３Ａ及び下辺３３Ｂにおける延出片３４にそれぞれ３箇所ずつ設けられ、筐体３０の左右の縦辺３３Ｃ，３３Ｄにおける延出片３４にそれぞれ２箇所ずつ設けられている。係止部材２２は、ビス３５によって延出片３４に固定される固定片部２２１と、固定片部２２１から浴室内部側に屈曲状に延びる係止片部２２２と、を有して形成されている。このような係止部材２２は、固定片部２２１を貫通するビス３５によって筐体３０の延出片３４に固定されるとともに、係止片部２２２によって化粧材２１の被係止面部２１４を係止することで、筐体３０に対して化粧フレーム２０を係脱自在に支持するように構成されている。
【００４１】
このように筐体３０の浴室内部側（前面側）に取り付けられた化粧フレーム２０において、第一突条２１５は、その先端が筐体３０の透明板３２に近接して設けられ、この第一突条２１５の先端と透明板３２との間は、シリコンシール２３によって止水処理が施されている。また、第二突条２１６は、上下辺において上壁パネル６１及び下壁パネル６２の浴室内面に当接又は近接し、左辺において金属プレート１６の第一面部１６１に当接又は近接し、右辺において金属プレート１７の第一面部１７１に当接又は近接して設けられている。このような第二突条２１６と、上壁パネル６１、下壁パネル６２、及び金属プレート１６，１７との間には、必要に応じてシール材が設けられていてもよい。
【００４２】
次に、図９も参照して、筐体３０の詳細構造及び取付構造について説明する。筐体本体３１は、開口３０Ａが形成されて映像表示部Ｔの前面側に設けられる前枠体３６と、映像表示部Ｔの背面側に設けられて映像表示部Ｔが固定される後枠体３７と、を互いに連結して構成されている。前枠体３６及び後枠体３７は、それぞれステンレス鋼板等の金属板材にプレス加工等を施して形成されている。透明板３２は、板ガラスから形成され、その前面あるいは後面には反射防止コーティング等の適宜な表面処理が施されている。
【００４３】
前枠体３６は、全体矩形枠状に形成されるとともに、筐体３０の外周辺３３の前側部分を構成する前見込面部３６１と、この前見込面部３６１の前端縁から見付方向内側に延びて開口３０Ａの周辺部を構成する開口周辺部３６２と、前見込面部３６１の後端縁から見付方向外側に延びる前延出片３６３と、を有して形成されている。後枠体３７は、前方側が開口した全体箱状に形成されるとともに、筐体３０の外周辺３３の後側部分を構成する後見込面部３７１と、この後見込面部３７１の後端縁に連続した板状の背面部３７２と、後見込面部３７１の前端縁から見付方向外側に延びる後延出片３７３と、を有して形成されている。後枠体３７の背面部３７２には、映像表示部Ｔを固定するための複数の背面固定部３７４が設けられている。
【００４４】
筐体３０の延出片３４は、前延出片３６３と、後延出片３７３と、これらの間に介装される止水材３８と、が前後方向に重ねられるとともに、周方向に複数設けられるビス３９によって固着されて構成されている。このように構成される延出片３４は、筐体３０の最前部である開口周辺部３６２から前見込面部３６１の前後寸法分だけ後退するとともに、筐体３０の最後部である背面部３７２から後見込面部３７１の前後寸法分だけ前進した位置に設けられ、すなわち、筐体３０の外周辺３３における前後方向の中間部から外方に突出して形成されている。また、延出片３４（前延出片３６３及び後延出片３７３）には、ビス３９が貫通するとともに螺合する貫通孔３４１と、ビス３５を挿通させるための複数の挿通孔３４２（図６〜８参照）と、が形成されている。さらに、延出片３４と上壁パネル６１、下壁パネル６２、及び金属プレート１６，１７との間には、シール材３４Ａが設けられている。
【００４５】
筐体３０の内部における上辺３３Ａ、下辺３３Ｂ、左右の縦辺３３Ｃ，３３Ｄの各辺に沿った複数個所には、透明板３２を開口周辺部３６２に向かって押圧する押圧手段４０が設けられている。この押圧手段４０は、後枠体３７側に設けられる金属製の押圧部材４１と、この押圧部材４１と透明板３２との間に介装される弾性部材４２と、を有して構成されている。押圧部材４１は、その後端部を後枠体３７の背面部３７２に当接させ、前端部で弾性部材４２を介して透明板３２を前方に向かって押圧するように構成されている。また、透明板３２の前面と開口周辺部３６２との間には止水部材４３が四周連続して介装され、透明板３２の四周端縁と前見込面部３６１の内面との間には、透明板３２の面内移動を規制する規制部材４４が介装されている。
【００４６】
このように透明板３２は、押圧手段４０によって前方に押圧されるとともに、開口周辺部３６２との間に止水部材４３が介装されていることで、筐体３０の内部において弾性支持され、前後方向への移動が規制されている。さらに、透明板３２は、規制部材４４によって面内方向への移動が規制されているので、筐体本体３１に安定して支持されるとともに、外部からの衝撃が伝達しにくくなっている。また、映像表示部Ｔは、背面固定部３７４によって後枠体３７に固定されているので、映像表示部Ｔと透明板３２とを一体化する必要がなく、互いに離隔させることができるので、外部からの振動や衝撃による映像表示部Ｔ及び透明板３２の破損が防止できるようになっている。
【００４７】
筐体３０の組立手順としては、先ず、背面固定部３７４によって後枠体３７に映像表示部Ｔを固定するとともに、弾性部材４２を貼り付けた押圧部材４１を後枠体３７にセットしておく。一方、前枠体３６において、前見込面部３６１の内面に規制部材４４をセットするとともに、前面外周に沿って止水部材４３を貼り付けた透明板３２を開口周辺部３６２にセットしておく。このような前枠体３６及び後枠体３７において、前延出片３６３と後延出片３７３との間に止水材３８を挟み込むとともに、これらの前延出片３６３と後延出片３７３とをビス３９によって固着することで、映像表示部Ｔ及び透明板３２を筐体本体３１に内蔵した筐体３０が組み立てられる。
【００４８】
以上のように組み立てられた筐体３０は、映像表示部Ｔ及び透明板３２を内蔵した状態で浴室ユニット１の施工現場まで搬送され、壁開口部６３の支持フレーム１１に固定される。具体的には、前述したように、支持フレーム１１の縦材１４，１５をビス１４３，１５３によって左右のポスト５に固着することによって、支持フレーム１１を壁開口部６３に固定しておく。この支持フレーム１１に対して浴室内部側から筐体３０をセットし、その延出片３４の挿通孔３４２にビス３５を挿通し、このビス３５を横材１２，１３及び縦材１４，１５のビス孔１２４，１３４，１４４，１５４に螺合することによって、支持フレーム１１に筐体３０を固定する。
【００４９】
なお、支持フレーム１１に対して筐体３０をセットする前に、筐体３０の延出片３４にシール材３４Ａを貼り付けておくとともに、縦材１５の浴室側に金属プレート１７を接着しておくものとする。また、筐体３０の延出片３４の挿通孔３４２にビス３５を挿通する際には、このビス３５の頭部と延出片３４との間に係止部材２２を挟んでおく。このように筐体３０を支持フレーム１１に固定したら、筐体３０に取り付けられた係止部材２２の係止片部２２２に化粧材２１の被係止面部２１４を係止させることで、筐体３０に対して化粧フレーム２０を取り付け、化粧材２１の第一突条２１５と筐体３０の透明板３２との間をシリコンシール２３で止水する。以上によって、筐体３０及び筐体３０に収容された映像表示部Ｔの浴室ユニット１への取り付けが完了する。
【００５０】
以上のような本実施形態によれば、以下のような効果がある。即ち、左右のポスト５Ａ，５Ｂ（柱材）に固定される支持フレーム１１（支持部材）によって映像表示部Ｔ（機能部品）を支持することで、壁パネル６１，６２に映像表示部Ｔの重量が作用しないようにできるので、壁パネル６１，６２を厚くしたり、その裏面に補強を設けたりする必要がなく、通常の浴室ユニット１に対して映像表示部Ｔを取り付けることができる。また、壁パネル６１，６２の端縁６４，６５が筐体３０の外周辺３３と面内方向に離隔して設けられ、この離隔部分Ｓ（図４、図５参照）、即ち隙間に支持フレーム１１と筐体３０との固定部が設けられているので、この固定部周辺のスペースを確保して固定作業の作業性の向上を図ることができる。さらに、壁パネル６１，６２の端縁６４，６５と映像表示部Ｔの外周辺３３との間に離隔部分Ｓが形成されているので、この離隔部分Ｓを放熱空間として利用することができ、この放熱空間に映像表示部Ｔからの熱を逃がすことで映像表示部Ｔの発熱を抑制することができる。
【００５１】
また、本発明の機能部品の取付構造１０では、支持フレーム１１（支持部材）と筐体３０との両方に、離隔部分Ｓにて他方に延びる延出片３４、第一延出面部１２２，１３２、延出面部１４２，１５２が形成され、当該延出片３４、第一延出面部１２２，１３２、延出面部１４２，１５２に前記固定部が設けられている。この構成によれば、支持フレーム１１と筐体３０との一方から他方に向かって形成される延出片３４、第一延出面部１２２，１３２、延出面部１４２，１５２に固定部が設けられているので、この固定部の固定作業を一層容易に実施することができる。
【００５２】
さらに、本発明の機能部品の取付構造１０では、延出片３４、第一延出面部１２２，１３２は、壁パネル６１，６２の見込方向の浴室表面側に設けられている。この構成によれば、壁パネル６１，６２の浴室表面側に延出片３４、第一延出面部１２２，１３２が設けられているので、浴室内から支持フレーム１１（支持部材）と筐体３０との固定作業を実施する場合に、手前側に固定部が位置することとなり、より一層作業性の向上を図ることができる。さらに、延出片３４、第一延出面部１２２，１３２よりも裏面側における建物躯体との距離を拡大することができ、この空間を放熱空間とすることで放熱性能を高めることができる。
【００５３】
また、本発明の機能部品の取付構造１０では、離隔部分Ｓは、筐体３０の四周を囲んで連続して設けられている。この構成によれば、筐体３０の四周を囲んで離隔部分Ｓ（隙間）が連続して設けられていることで、この離隔部分Ｓを放熱空間として利用する場合に、放熱空間内部の空気を循環させることができ、放熱性能をより一層向上させることができる。
【００５４】
なお、本発明は、前記実施形態に限定されるものではなく、本発明の目的が達成できる他の構成等を含み、以下に示すような変形等も本発明に含まれる。
【００５５】
本発明の変形例に係る機能部品の取付構造１１０，２１０，３１０について、図１０（Ａ）（Ｂ）（Ｃ）を参照して説明する。図１０（Ａ）は、本発明の変形例に係る機能部品の取付構造を示す断面図であり、図１０（Ｂ）は、本発明の他の変形例に係る機能部品の取付構造を示す断面図であり、図１０（Ｃ）は、本発明のさらに他の変形例に係る機能部品の取付構造を示す断面図である。なお、図１０（Ａ）（Ｂ）（Ｃ）において、上述した実施形態と同一構成乃至同一機能を有する部分には、同一符号を付して説明を省略する。
【００５６】
機能部品の取付構造１１０は、図１０（Ａ）に示すように、筐体本体３１Ａが、矩形状に連続する外周辺３３（上辺３３Ａ，下辺３３Ｂ、左側の縦辺３３Ｃ、及び右側の縦辺３３Ｄ）を有して構成されている。つまり、筐体本体３１Ａにおいて、上述した実施形態にいう延出片３４は省略されていてもよい。上述した実施形態では、延出片が支持フレーム１１及び筐体３０の両方に形成されていたが、ここでは、延出片が支持フレーム１１Ａのみに形成された一例を説明する。
【００５７】
支持フレーム１１Ａは、上下の横材１３Ａが、見込方向（壁パネル６の面直交方向）に延びる見込み面部１３１と、この見込み面部１２１の浴室内部側端部から上方に折れ曲がって延びる第一延出面部１３２と、見込み面部１３１の浴室外部側端部から下方に折れ曲がって延びる第二延出面部１３３と、を有しているとともに、さらに、筐体３０の外周辺３３の下辺３３Ｂに重ねられる重なり面部１３５を有して構成されている。重なり面部１３５は、第一延出面部１３２との間で折れ曲がって見込方向に延びて形成されている。そして、重なり面部１３５が筐体３０の下辺３３Ｂに重ねられた状態で、ビス３５Ａが、重なり面部１３５及び下辺３３Ｂに螺合されることで、支持フレーム１１Ａと筐体３０とが固定されている。これによれば、支持フレーム１１Ａと筐体３０とが固定された状態で、第一延出面部１３２の上下方向の寸法分だけ、壁パネル６２の端縁６５と筐体３０の外周辺３３の下辺３３Ｂとが離隔した離隔部分Ｓが形成されていることとなり、上述した実施形態と同様の効果が奏される。
【００５８】
機能部品の取付構造２１０は、図１０（Ｂ）に示すように、筐体本体３１Ｂが、矩形状に連続する外周辺３３を有するとともに、この四方の外周辺３３には、それぞれ見付方向外方に延出する延出片３４が形成され、さらに、支持フレーム１１の見込み面部１３１に重ねられる重なり面部２３５を有して構成されていてもよい。上述した実施形態では、延出片が支持フレーム１１及び筐体３０の両方に形成されていたが、ここでは、延出片３４が筐体３０のみに形成された一例を説明する。
【００５９】
支持フレーム１１Ｂは、上下の横材１３Ａが、見込方向（壁パネル６の面直交方向）に延びる見込み面部１３１と、見込み面部１３１の浴室外部側端部から下方に折れ曲がって延びる第二延出面部１３３と、を有して構成されている。つまり、横材１３Ａにおいて、第一延出面部１３２は省略されていてもよい。そして、筐体３０の重なり面部２３５と支持フレーム１１Ｂの見込み面部１３１とが重ねられた状態で、ビス３５Ｂが、重なり面部２３５及び見込み面部１３１に螺合されることで、支持フレーム１１Ｂと筐体３０とが固定されている。これによれば、支持フレーム１１Ｂと筐体３０とが固定された状態で、筐体３０の延出片３４の延出方向（上下方向）の寸法分だけ、壁パネル６２の端縁６５と筐体３０の外周辺３３の下辺３３Ｂとが離隔した離隔部分Ｓが形成されていることとなり、上述した実施形態と同様の効果が奏される。
【００６０】
機能部品の取付構造３１０は、図１０（Ｃ）に示すように、筐体本体３１Ａが、矩形状に連続する外周辺３３を有して構成されている。つまり、筐体本体３１Ａにおいて、上述した実施形態にいう延出片３４は省略されていてもよい。また、支持フレーム１１Ｂの上下の横材１３Ａは、見込方向（壁パネル６の面直交方向）に延びる見込み面部１３１と、見込み面部１３１の浴室外部側端部から下方に折れ曲がって延びる第二延出面部１３３と、を有して構成されている。つまり、横材１３Ａにおいて、第一延出面部１３２は省略されていてもよい。上述した実施形態では、延出片が支持フレーム１１Ｂ又は筐体３０のうちの一方に形成されていたが、ここでは、延出片に相当する部材が、支持フレーム１１Ｂと筐体３０とは別部材の固定部材８０から構成された一例を説明する。
【００６１】
固定部材８０は、見込方向に延びる一対の見込み面部８１，８２と、これらの見込み面部８１，８２との境界位置において折れ曲がって上下に延びる延出面部８３と、を有して構成されていている。この場合においては、見込み面部８１が、筐体３０の下辺３３Ｂに重ねられた状態でビス３５Ｃが螺合され、そして、見込み面部８２が、支持フレーム１１Ｂの見込み面部１３１に重ねられた状態でビス３５Ｂが螺合されることで、支持フレーム１１Ｂと筐体３０とが固定されている。これによれば、支持フレーム１１Ｂと筐体３０とが固定された状態で、延出面部８３の上下方向の寸法分だけ、壁パネル６２の端縁６５と筐体３０の外周辺３３の下辺３３Ｂとが離隔した離隔部分Ｓが形成されていることとなり、部品点数が増加してしまうものの、上述した実施形態と同様の効果が奏される。
【００６２】
また、上述した実施形態では、支持フレーム１１と筐体３０とがビス３５を用いて固定されていたが、本発明はこれに限定されるものではない。支持フレーム１１と筐体３０とがリベットを用いて固定されていてもよく、ボルト固定や加締めにより固定されていてもよいし、溶着や接着などの公知の方法で固定されていてもよい。
【００６３】
また、例えば、前記実施形態では、機能部品が映像表示部Ｔである場合を例示したが、機能部品としては、映像表示部Ｔに限らず、テレビ受像機能を備えない表示装置であってもよいし、パーソナルコンピュータやゲーム機器、音響機器、冷暖房装置、照明装置、冷蔵庫、時計などの電気機器であってもよい。さらに、機能部品としては、電気機器に限らず、収納装置や鏡（通常の鏡やハーフミラー等）などの浴室付属部品であってもよいし、水槽、絵画、彫刻などの装飾品であってもよく、その品種や品目は特に限定されない。
【００６４】
また、前記実施形態では、映像表示部Ｔ（機能部品）が筐体３０に収容された状態で浴室ユニット１に取り付けられる構成であったが、これに限らず、映像表示部Ｔが直接支持フレーム１１に固定されていてもよい。即ち、機能部品として、防水性能を必要としないもの、あるいは機能部品そのものが防水性能を有したものである場合には、筐体に収容されずに浴室内部に露出して設けられていてもよい。また、機能部品を筐体に収容する場合であっても、この筐体において防水性能は必須ではなく、排水性や清掃性を有した筐体など、使用上の問題が生じない範囲で適宜な筐体を採用することは任意である。
【００６５】
また、前記実施形態としては、浴室ユニット１の壁パネル６として、鋼板パネルを例示したが、壁パネルとしては、鋼板パネルに限らず、樹脂パネルやタイルパネル、木質パネル、ガラスパネル、異種材料が積層された複合パネル等であってもよい。このように壁パネルの種別よって厚さ寸法や取付構造も異なることになるが、そのような各種条件に応じて支持フレームや筐体の形状が変更されてもよく、このような形状や寸法を変更した構造も本発明に含まれる。また、壁パネルの種別よって柱材としてのポストの形状や、壁パネルとポストとの納まりが異なることになるが、そのようなポストに対する支持フレームの固定構造が変更されてもよい。
【００６６】
また、前記実施形態では、壁パネル６を上下に分割した上壁パネル６１と下壁パネル６２との間に壁開口部６３が形成され、この壁開口部６３の左右の縦辺が左右一対のポスト５によって構成される場合を例示したが、壁開口部としては、前記実施形態の形態に限らず、壁パネルの一部を取り除いて形成されたものであればよい。すなわち、壁開口部としては、１枚の壁パネルの中間部をくり抜いて形成されたものでもよいし、壁パネルの上下左右の一辺〜三辺を含む領域を切り欠いて形成されたものでもよい。
【００６７】
また、壁開口部としては、前記実施形態のように矩形状の開口に限らず、任意形状の開口であってもよい。この際、例えば、壁開口部が円形の開口である場合、その内周辺のうち上部及び下部を形成する円弧状の辺（上辺及び下辺）の少なくとも一方に沿って支持部材の横材が設けられていればよい。さらに、壁開口部が多角形の開口である場合、横材は、略水平に設けられるだけでなく、傾斜して設けられてもよいし、途中が屈曲して設けられてもよい。
【００６８】
また、前記実施形態では、支持部材として、上下一対の横材１２，１３と左右一対の縦材１４，１５とを四周枠組みした支持フレーム１１を採用したが、このような支持フレーム１１に限らず、上下の横材のうち少なくとも一方の横材を有して支持部材が構成されていればよい。ここで、前記実施形態では、支持フレーム１１の縦材１４，１５を左右のポスト５に固定したが、縦材１４，１５を備えずに支持部材が構成された場合には、横材の左右両端部を左右のポストに直接固定してもよいし、適宜なブラケット等を介してポストに固定してもよい。また、前記実施形態のような支持フレームを採用する場合であっても、上下の横材間に亘る縦方向の補助部材や、左右の縦材間に亘る横方向の補助部材など、適宜な補助部材によって支持フレームを補強してもよい。
【００６９】
また、前記実施形態では、四周枠組みされた支持フレーム１１の上下の横材１２，１３と左右の縦材１４，１５に筐体３０の延出片３４がビス３５によって固定されていたが、これらのビス３５により固定される固定部が縦材に設けられず、横材のみに設けられていてもよい。さらに、固定部は上下の横材の両方に設けられるものに限らず、上下いずれか一方の横材に設けられていてもよい。このように固定部が縦材に設けられずに横材のみに設けられていれば、横材の長さ（柱材の間隔）に関わらず、それ未満の幅寸法を有した機能部品あるいは筐体を固定する際に、壁開口部を必要以上に大きくしなくて済むことから、機能部品や筐体の側方に開口が形成されず、その開口を塞ぐための部材を省略することができる。
【００７０】
また、前記実施形態では、支持部材である支持フレーム１１が固定される柱材として、浴槽２の短辺２Ａ両端部から立設された左右一対のポスト５（コーナーポスト５Ａ及び平ポスト５Ｂ）を用いた構成を例示したが、支持部材が固定される柱材としては、浴槽の短辺両端部のポストに限らず、浴槽２の長辺に沿った立上部４から立設されたポストでもよいし、洗い場床３の立上部４から立設されたポストでもよい。さらに、浴室ユニット１のサイズによっては、浴槽２の短辺に沿った中間部からポストが立設される場合があり、このポストに支持部材が固定されてもよい。
【００７１】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００７２】
１                浴室ユニット
５，５Ａ，５Ｂ    ポスト（柱材）
６，６１，６２    壁パネル
１０              機能部品の取付構造
１１              支持フレーム（支持部材）
１２，１３        横材
１４，１５        縦材
３３              外周辺
３４              延出片
６３              壁開口部
６４，６５        端縁
１２２，１３２    第一延出面部（第１延出片）
１４２，１５２    延出面部
Ｔ                映像表示部（機能部品）
Ｓ                離隔部分
【図１】
0006433171.tif 000002
【図２】
0006433171.tif 000003
【図３】
0006433171.tif 000004
【図４】
0006433171.tif 000005
【図５】
0006433171.tif 000006
【図６】
0006433171.tif 000007
【図７】
0006433171.tif 000008
【図８】
0006433171.tif 000009
【図９】
0006433171.tif 000010
【図１０】
0006433171.tif 000011